(57)【要約】【課題】歩行速度などの変化に影響されずに的確に歩行動作の評価ができるようにする。【解決手段】少なくとも被評価対象者の歩行時の下肢の関節の角度及び角速度を歩行動作変数として取得する。そして、取得した歩行動作変数を、被評価対象者の歩行速度に基づいて調整し、調整された歩行動作変数を説明変数、年齢を目的変数とする回帰分析を行う。この回帰分析処理により回帰分析した結果から、被評価対象者の歩行動作の加齢度の指数を取得する。【選択図】図９
2019084130.tif 000002
【特許請求の範囲】
【請求項１】
少なくとも被評価対象者の歩行時の下肢の関節の角度及び角速度を歩行動作変数として取得する歩行動作変数取得部と、
前記歩行動作変数取得部で取得された歩行動作変数を、被評価対象者の歩行速度に基づいて調整する調整部と、
前記調整部で調整された歩行動作変数を説明変数、年齢を目的変数とする回帰分析を行う回帰分析部と、
前記回帰分析部で回帰分析した結果から、前記被評価対象者の歩行動作の加齢度の指数を取得する加齢度指数取得部と、を備える
歩行動作評価装置。
【請求項２】
前記歩行動作変数取得部は、前記下肢の関節である股関節、膝関節、及び足関節のうち少なくとも前記足関節を含む角度及び角速度を歩行動作変数として取得する
請求項１に記載の歩行動作評価装置。
【請求項３】
さらに、前記歩行動作変数取得部は、前記下肢の関節である股関節、膝関節、及び足関節のうち少なくとも前記足関節を含むトルク及びトルクパワーを歩行動作変数として取得し、
前記回帰分析部は、説明変数としてトルク及びトルクパワーを加える
請求項１又は２に記載の歩行動作評価装置。
【請求項４】
前記加齢度指数取得部で取得した加齢度の指数を表示する
請求項１〜３のいずれか１項に記載の歩行動作評価装置。
【請求項５】
さらに、前記回帰分析部での回帰分析結果としての、各歩行動作変数に対応する所定のピークを、歩行動作加齢度のプロフィールとして表示する
請求項４に記載の歩行動作評価装置。
【請求項６】
前記調整部は、被評価対象者の身長に基づいた歩行動作変数の調整についても行う
請求項１〜５のいずれか１項に記載の歩行動作評価装置。
【請求項７】
少なくとも被評価対象者の歩行時の下肢の関節の角度及び角速度を歩行動作変数として取得する歩行動作変数取得処理と、
前記歩行動作変数取得処理により取得された歩行動作変数を、被評価対象者の歩行速度に基づいて調整する調整処理と、
前記調整処理により調整された歩行動作変数を説明変数、年齢を目的変数とする回帰分析を行う回帰分析処理と、
前記回帰分析処理により回帰分析した結果から、前記被評価対象者の歩行動作の加齢度の指数を取得する加齢度指数取得処理と、を含む
歩行動作評価方法。
【請求項８】
少なくとも被評価対象者の歩行時の下肢の関節の角度及び角速度を歩行動作変数として取得する歩行動作変数取得手順と、
前記歩行動作変数取得手順により取得された歩行動作変数を、被評価対象者の歩行速度に基づいて調整する調整手順と、
前記調整手順により調整された歩行動作変数を説明変数、年齢を目的変数とする回帰分析を行う回帰分析手順と、
前記回帰分析手順により回帰分析した結果から、前記被評価対象者の歩行動作の加齢度の指数を取得する加齢度指数取得手順と、
をコンピュータに実行させるプログラム。
【発明の詳細な説明】
【技術分野】
【０００１】
本発明は、歩行動作評価装置及び歩行動作評価方法、並びに歩行動作の評価を実行するプログラムに関する。
【背景技術】
【０００２】
人間は１歳強でひとり歩き（二足歩行）を獲得し、その後、成年期を経て中年期以降は加齢の影響を受けて歩行動作が変容する。これは身体諸機能の加齢変化の総合的な結果である。成年期以降の加齢に伴う歩行動作の変容を知り、その動作学的原因を追及し、さらにはこれらのエビデンスに基づいて歩行動作や歩行能力の維持・改善の方策を探ることは、「健やかな長寿」を満たすために極めて重要な課題である。
【０００３】
従来、歩行に関する評価手法として、例えば特許文献１に記載された技術が知られている。特許文献１には、シート式圧力センサを用いて歩行行為を計測すると共に、歩行速度を加速度センサで計測して、歩行年齢を評価する手法についての記載がある。この特許文献１に記載された手法では、歩行パラメータとして、右歩行角度、左歩行角度、歩行周期、両脚支持期時間、及び歩幅を使用し、これらを説明変数に含む重回帰式により、歩行年齢を算出するようにしている。
【先行技術文献】
【特許文献】
【０００４】
【特許文献１】特開２０１４−９４０７０号公報
【発明の概要】
【発明が解決しようとする課題】
【０００５】
特許文献１に記載されるように、歩行行為を計測して年齢を推定する評価手法は従来から各種提案されているが、より高度な年齢や加齢度の評価が求められていた。すなわち、従来から提案されている評価手法は、歩行動作が歩行速度によって変化することを考慮に入れていない。そのため、歩行者が少し速め、又は遅めの速度で歩くだけで、評価結果が大きく変わってしまい、得られた評価結果が個人固有の的確な評価であるとは言い難い。
【０００６】
本発明は、かかる点に鑑み、歩行速度などの変化に影響されずに的確に歩行動作を評価することができる歩行動作評価装置、歩行動作評価方法及びプログラムを提供することを目的とする。
【課題を解決するための手段】
【０００７】
本発明の歩行動作評価装置は、少なくとも被評価対象者の歩行時の下肢の関節の角度及び角速度を歩行動作変数として取得する歩行動作変数取得部と、歩行動作変数取得部で取得された歩行動作変数を、被評価対象者の歩行速度に基づいて調整する調整部と、調整部で調整された歩行動作変数を説明変数、年齢を目的変数とする回帰分析を行う回帰分析部と、回帰分析部で回帰分析した結果から、被評価対象者の歩行動作の加齢度の指数を取得する加齢度指数取得部と、を備える。
【０００８】
また、本発明の歩行動作評価方法は、少なくとも被評価対象者の歩行時の下肢の関節の角度及び角速度を歩行動作変数として取得する歩行動作変数取得処理と、歩行動作変数取得処理により取得された歩行動作変数を、被評価対象者の歩行速度に基づいて調整する調整処理と、調整処理により調整された歩行動作変数を説明変数、年齢を目的変数とする回帰分析を行う回帰分析処理と、回帰分析処理により回帰分析した結果から、被評価対象者の歩行動作の加齢度の指数を取得する加齢度指数取得処理と、を含むものである。
【０００９】
また、本発明のプログラムは、上記歩行動作評価方法の歩行動作変数取得処理、調整処理、回帰分析処理、及び加齢度指数取得処理のそれぞれを実行する手順を、コンピュータに実行させるものである。
【発明の効果】
【００１０】
本発明によれば、歩行動作の加齢度を示すことができ、個人の歩行能力・動作の維持・改善を支援することができる。これは、高齢者が何歳になっても元気に歩き続けることを支援し、医療費の削減や健康長寿社会の実現に寄与することになる。また、高齢者はもとより、将来高齢者になる中年者や若年者に対して、歩行動作の維持・改善を啓蒙することもできる。さらに、本発明による加齢度評価を行うことで、歩行動作改善のためのトレーニング方法の開発にも寄与することができる。
【図面の簡単な説明】
【００１１】
【図１】本発明の一実施の形態例による歩行動作評価装置の構成例を示す機能ブロック図である。
【図２】本発明の一実施の形態例による歩行動作評価処理例を示すフローチャートである。
【図３】本発明の一実施の形態例による股関節、膝関節、足関節のトルクと角度の例を示す図である。
【図４】１サイクル（２歩）の歩行時の股関節の角度、角速度、トルク及びトルクパワーの例を示す図である。
【図５】歩行速度と身長の調整前（図５Ａ）と調整後（図５Ｂ）の例を示す図である。
【図６】本発明の一実施の形態例による歩行動作加齢度指数の概要を示す図である。
【図７】本発明の一実施の形態例によるＺスコアを用いた歩行動作の加齢度指数の例を示す図である。
【図８】本発明の一実施の形態例による歩行動作の加齢度指数の分布例を示す図である。
【図９】本発明の一実施の形態例による歩行動作の加齢度指数のプロフィールの一例を示す図である。
【図１０】本発明の一実施の形態例による年齢予測の重回帰分析結果（キネマティクス変数及びキネティクス変数から評価した場合）の一例を示す図である。
【図１１】本発明の一実施の形態例に適用した関節角度のピーク値定義を示す図である。
【図１２】本発明の一実施の形態例に適用した関節角速度のピーク値定義を示す図である。
【図１３】本発明の一実施の形態例に適用した関節トルクのピーク値定義を示す図である。
【図１４】本発明の一実施の形態例に適用した関節トルクパワーのピーク値定義を示す図である。
【図１５】本発明の一実施の形態例による歩行動作の加齢度指数のプロフィールの別の例を示す図である。
【図１６】本発明の一実施の形態例による年齢予測の重回帰分析結果（キネマティクス変数のみから評価した場合）の一例を示す図である。
【発明を実施するための形態】
【００１２】
以下、本発明の一実施の形態例（以下、「本例」と称する）について、添付図面を参照して説明する。
【００１３】
［１．歩行動作評価装置の構成］
図１は、本例の歩行動作評価装置１０の構成を示す機能ブロック図である。本例の歩行動作評価装置１０は、例えばコンピュータ装置に歩行動作評価処理を実行するプログラムを実装することで構成される。
【００１４】
図１に示す歩行動作評価装置１０は、被評価対象者の歩行時の下肢（脚）の各関節の角度とトルクを取得する。具体的には、歩行動作評価装置１０は、股関節情報取得部１１と、膝関節情報取得部１２と、足関節情報取得部１３とを備え、それぞれの取得部１１〜１３で各関節の角度およびトルクを取得する。また、各取得部１１〜１３は、関節の角度を時間で微分した角速度を取得する。さらに、各取得部１１〜１３は、関節のトルクに角速度を乗算したトルクパワーを取得する。詳細は後述するが、歩行動作の評価を行う上で、これらの情報（角度、角速度、トルク、及びトルクパワー）の内の一部の情報のみを取得するようにしてもよい。
【００１５】
各取得部１１〜１３は、被評価対象者の歩行状態を撮影した映像から、関節の角度を取得する。また、各取得部１１〜１３は、被評価対象者が歩行する箇所の床に敷設された力量計が検出した地面反力から、トルクを取得する。ここでの力量計としては、地面から足に加わる３軸方向の力が得られる、フォースプラットフォームと称されるセンサを使用するのが好ましい。但し、フォースプラットフォームを使用するのは一例であり、その他の力量計（例えば圧力分布を検出する圧力センサ）などから、各関節のトルクを得るようにしてもよい。さらに、被評価対象者の下肢に装着したセンサから、関節の角度又はトルクを得るようにしてもよい。これらの関節のトルクや角度の詳細については後述する。
【００１６】
各取得部１１〜１３で取得した各関節の情報は、歩行動作変数取得部２１に供給される。歩行動作変数取得部２１は、これらの情報（各関節の角度、角速度、トルク、及びトルクパワー）を歩行動作変数として歩行速度・身長調整部２２に供給する。歩行速度・身長調整部２２は、供給される歩行動作変数を、歩行速度検出部１４が検出した被評価対象者の歩行速度と、身長検出部１５が検出した被評価対象者の身長に基づいて調整する。歩行速度・身長調整部２２での調整処理の詳細については後述する。
歩行速度検出部１４による歩行速度の検出や、身長検出部１５による被評価対象者の身長の検出は、例えば被評価対象者の歩行状態を撮影した映像に基づいて行われる。あるいは、キーボードなどを使って、歩行速度の数値や身長の数値を直接入力するようにしてもよい。
【００１７】
歩行速度・身長調整部２２で歩行速度や身長が調整された歩行動作変数（各関節の角度、角速度、トルク、及びトルクパワー）の情報は、回帰分析部２３に供給される。回帰分析部２３は、供給される歩行動作変数を説明変数とし、年齢を目的変数とする回帰分析を行う。本例の回帰分析部２３は、回帰分析の１手法として知られたステップワイズ重回帰分析を行う。
【００１８】
そして、回帰分析部２３は、回帰分析で得られた目的変数である年齢の情報を、歩行動作加齢度指数取得部２４に供給する。歩行動作加齢度指数取得部２４は、年齢の情報を利用して、歩行動作加齢度指数を得る。本例の歩行動作加齢度指数取得部２４が歩行動作加齢度指数を得る際には、分析手法の１つであるＺスコアを使用して、歩行動作加齢度指数を得る。
【００１９】
歩行動作加齢度指数取得部２４が取得した歩行動作加齢度指数の情報は、表示データ作成部２５に供給される。表示データ作成部２５は、供給される歩行動作加齢度指数を表示する表示データを作成し、作成した表示データにより、歩行動作加齢度指数の表示を行う。
【００２０】
［２．歩行動作評価処理全体の流れ］
図２は、歩行動作評価装置１０が歩行動作評価処理を実行する際の処理の流れの概要を示すフローチャートである。
まず、歩行動作変数取得部２１は、股関節、膝関節及び足関節のそれぞれについて、角度、角速度、トルク、及びトルクパワーを取得する歩行動作変数取得処理を行う（ステップＳ１）。
そして、歩行動作変数取得部２１で取得された各関節の角度、角速度、トルク、及びトルクパワーは、歩行速度・身長調整部２２で被評価対象者の歩行速度及び身長に基づいて調整される（ステップＳ２）。
【００２１】
その後、回帰分析部２３は、ステップワイズ重回帰分析により回帰分析を行う（ステップＳ３）。このとき、回帰分析部２３は、歩行速度や身長が調整された歩行動作変数（角度、角速度、トルク、及びトルクパワー）を説明変数とし、年齢を目的変数として、回帰分析処理を行う。
さらに、回帰分析部２３が回帰分析した結果に基づいて、歩行動作加齢度指数取得部２４がＺスコアを使用して歩行動作加齢度指数を得る（ステップＳ４）。そして、歩行動作加齢度指数取得部２４で得られた歩行動作加齢度指数に基づいて表示データ作成部２５は、表示データの作成処理を行い、さらに歩行動作加齢度指数を使った評価結果の出力処理を行う（ステップＳ５）。
【００２２】
［３．取得するトルクと角度の例］
図３は、取得部１１〜１３が取得する各関節のトルク及び角度の例を示す。
本例の場合には、図３に示すように、被評価対象者の歩行動作を解析するために、股関節トルクＴＨと、股関節角度θＨと、膝関節トルクＴＫと、膝関節角度θＫと、足関節トルクＴＡと、足関節角度θＡとが取得される。
股関節角度θＨは、体幹と大腿とが成す角度であり、股関節トルクＴＨは、股関節で生じるトルクである。
【００２３】
膝関節角度θKは、大腿と下腿が成す角度であり、膝関節トルクＴＫは、膝関節で生じるトルクである。
足関節角度θＡは、下腿と足（足首より先）とが成す角度であり、足関節トルクＴＡは、足関節で生じるトルクである。
【００２４】
各関節の角度θＨ、θＫ、θＡは、時間で微分することで角速度ωＨ、ωＫ、ωＡを得ることができる。また、各関節のトルクＴＨ、ＴＫ、ＴＡと角速度を乗算することで、トルクパワーＰＨ、ＰＫ、ＰＡを得ることができる。
【００２５】
図４は、歩行時の角度やトルクの取得状態の例を示す。
図４に示す各グラフは、歩行時の股関節について見たものである（股関節を例に説明するが、同様のグラフおよび特徴点を膝関節と足関節においても取得する）。ここでは、図４Ａに示すように、一方の足（右足又は左足）の１サイクル（２歩）での動きを、１００％に正規化して示すこととする。図４Ｂ〜Ｅの横軸は、０％（接地したタイミング）から１００％（次の接地のタイミング）までの正規化値である。
【００２６】
図４Ｂは、股関節角度θＨの１サイクルでの変化例を示す。図４Ｂの縦軸は角度の値を示す。
歩行時には、股関節角度θＨは、足が地面から離れる位置の近傍で最大の角度となり、離れた足が接地する位置の近傍で最小の角度になる。ここで、本例の歩行動作加齢度指数取得部２４は、各サイクルでの股関節角度θＨの変化の内で、ピークとなる値を取得する。具体的には、図４Ｂに示す１サイクル期間の内で、最大の角度θＨ１と、最小の角度θＨ２とを特徴点情報として取得する。
【００２７】
図４Ｃは、股関節角速度ωＨの１サイクルでの変化例を示す。図４Ｃの縦軸は角速度の値を示す。
股関節角速度ωＨは、１サイクルの間に、正方向の値となる期間と負方向の値となる期間とがある。ここで、本例の歩行動作加齢度指数取得部２４は、各サイクルでの股関節角速度ωＨの内で、ピーク又はボトムとなる３つの角速度ωＨ１，ωＨ２，ωＨ３を特徴点情報として取得する。
【００２８】
図４Ｄは、股関節トルクＴＨの１サイクルでの変化例を示す。図４Ｄの縦軸はトルクの値を示す。
股関節トルクＴＨについても、１サイクルの間に、正方向の値となる期間と負方向の値となる期間とがある。ここで、本例の歩行動作加齢度指数取得部２４は、各サイクルでの股関節トルクＴＨの内で、ピーク又はボトムとなる３つのトルクＴＨ１，ＴＨ２，ＴＨ３を特徴点情報として取得する。
【００２９】
図４Ｅは、股関節トルクパワーＰＨの１サイクルでの変化例を示す。図４Ｅの縦軸はトルクパワーの値を示す。股関節トルクパワーＰＨについても、１サイクルの間に、正方向の値となる期間と負方向の値となる期間とがある。ここで、本例の歩行動作加齢度指数取得部２４は、各サイクルでの股関節トルクパワーＰＨの内で、ピーク又はボトムとなる４つのトルクパワーＰＨ１，ＰＨ２，ＰＨ３，ＰＨ4を特徴点情報として取得する。
【００３０】
［４．歩行速度と身長の調整］
図５は、歩行速度・身長調整部２２が行う調整状態の例を示し、図５Ａは調整前、図５Ｂは調整後を示す。この図５の例は、縦軸が膝関節トルクＴＫの５番目の特徴点ＴＫ５の予測値を示し、横軸が膝関節トルクの観測値を示す。膝関節トルクＴＫの５番目の特徴点ＴＫ５の意味は後述する。
調整は、次の［数１］式により実行される。［数１］式に示す各値の定義についても以下に示す。
【００３１】
【数１】
2019084130.tif 000003
【００３２】
図５Ａ，Ｂの横軸の観測値は、歩行速度と身長の影響が含まれる観測値であり、図５Ａに示すグラフでは、歩行速度や身長の影響で、観測値と予測値の変化特性ａは、歩行速度や身長に応じて直線的に増加する。これに対して、［数１］式に示す調整を行った図５Ｂに示すグラフでは、観測値と予測値の変化特性ｂは、一定であり、歩行速度と身長の影響が排除された観測値になっている。
なお、ここでは歩行速度と身長の２つで調整を行うようにしたが、例えば、歩行速度・身長調整部２２が歩行速度のみの調整を行うようにしてもよい。
【００３３】
［５．歩行動作の加齢変化の評価］
次に、歩行動作の加齢変化について説明する。
歩行動作の加齢変化の具体的な特徴としては、「ケイデンスが低い」、「遊脚期が短い」、「頭の上下動が小さい」、「骨盤の回転が小さい」、「支持期後半の足底屈が小さい」、「遊脚期前半の膝屈曲と踵拳上が小さい」、「遊脚期終わりのつま先拳上が低い」、「接地時の足部角度が小さい」、「肩の屈曲が小さい」、「肘の伸展が小さい」、「頭の左右変動が大きい」、「遊脚期のクリアランス（つま先と地面の距離）最小値が大きい」などを挙げることができる。
【００３４】
これらの歩行動作の変化は、歩行速度にも依存するため、高齢者の歩行動作の特徴は加齢による歩行動作の変化とゆっくり歩くことによる動作の変化の両方が合わさったものと考えることができる。若年者と同じ速度で歩いた場合の高齢者の歩行動作には、「ステップ長が短く、ステップ頻度が高い」、「歩行周期を通じて膝関節及び股関節がより屈曲位に、足関節がより背屈位にある」、「体幹の前傾が大きい」、「最大足底屈が小さい」、「遊脚期の膝関節及び股関節の関節角速度が大きい」などの特徴がみられる。
【００３５】
歩行中の下肢関節動作の加齢変化を、関節トルクパワーから見た場合、高齢者では支持期後半の正の足関節トルクパワーが若年者の３分の２程度に小さくなる。ここでの関節トルクパワーは、関節トルクに関節角速度を乗じて得られる値である。
支持期後半の正の足関節トルクパワーは、主に足関節底屈筋群の短縮性収縮によるものであり、身体を前方に加速しステップ長を増大する役割を担っている。このため、加齢にともなう支持期後半の足関節トルクパワーの低下は、高齢者のステップ長短縮の原因であると考えられている。
【００３６】
一方、遊脚期の膝関節の負のパワーと股関節の正のパワーは高齢者の方が若年者よりも大きい傾向がある。歩行中、膝関節は屈曲しながら離地し、遊脚期の中盤あたりまで屈曲し続けた後、遊脚期後半では伸展し、再びわずかに屈曲して接地を迎える。股関節は屈曲しながら離地し、遊脚期中盤まで屈曲し続け、遊脚期後半では伸展して接地を迎える。これらの下肢動作にともなう関節トルクパワーが大きいことは膝関節及び股関節の屈曲・伸展動作を速くし、ステップ頻度を高めることにつながる。同じ速度で歩行した場合に高齢者が若年者より短いステップ長と高いステップ頻度で歩くのは、これらの下肢関節パワー発揮の特徴をもつためである。
【００３７】
ここまでに述べてきたような歩行動作の加齢変化を踏まえて、本例の歩行動作評価装置１０は、歩行動作の加齢度を評価するようにしたものである。
従来、加齢にともなう歩行動作の変容を評価する場合には、歩行動作の個人差（個人間のばらつき）が大きいことや、評価の基準となる標準値がないことから、歩行動作の加齢度を適切に評価することは困難であった。
一方、本例の場合には、個人間での動きのばらつきを考慮した上で運動技術を評価するようにした点を特徴の一つとする。
【００３８】
まず、健康な１９歳から８２歳までの１７７名を被験者（ここでは全て女性）とし、年齢により、若年者群（１９歳以上５０歳未満３２名）、中年者群（５０歳以上６５歳未満３６名）、高齢者群（６５歳以上１０９名）の３群に分けた。なお、ここでの若年者群ＦＹ、中年者群ＦＭ、高齢者群ＦＥは後述する図８に示す。
これらの被験者の歩行動作を計測し、下肢３関節（足、膝及び股関節）のキネマティクス（関節角度及び関節角速度）及びキネティクス（体重あたりの関節トルク及び関節トルクパワー）を算出した。その後、各パラメータの特徴点（ピーク値）を合計で４３個を抽出した。この特徴点の抽出処理が、歩行動作変数取得部２１で行われる。
【００３９】
次に、図６を参照して、歩行動作加齢度指数について説明する。
まず、歩行速度・身長調整部２２は、上述した４３個の特徴点データを歩行速度と身長で調整する。そして、回帰分析部２３は、歩行速度・身長調整部２２で調整された特徴点データを説明変数とし、年齢を目的変数とするステップワイズ重回帰分析を行う（ステップＳ１１）。
【００４０】
ここで、説明変数の内、以下の２条件に当てはまらないものは重回帰分析から除外した（ステップＳ１２）。
１．年齢との相関が有意である。
２．基準群（ここでは若年者群）内のばらつき（ｒｍｓＣＶｉＦＹ）が５０％未満である。
この重回帰分析によって得られた予測年齢をＺスコアに変換し、これを歩行動作加齢度指数（ＧＭＡindex；Gait-Motion Aging index）と定義する（ステップＳ１３）。
【００４１】
なお、予測年齢を変換するＺスコアは、基準群のばらつきを考慮した上で個人の基準群平均からの逸脱度を得点化したものである。
すなわち、図７に示すように、基準群の平均と、対象者（被験者）の値とを比較して、逸脱度を算出し、その逸脱度を数値化したＺスコアを用いて、歩行動作評価を行うようにした。ここで、Ｚスコアは、次の［数２］式から算出される。［数２］式において、ｙは対象者（被験者）の値、ｙｃ（￣）は基準群の平均値、ＳＤｃは基準群の標準偏差を示す。なお、（￣）は、本来は数２式に示すように、直前の符号ｙｃの上に表記される記号であるが、表記上の制約のために、ｙｃ（￣）と示す。
【００４２】
【数２】
2019084130.tif 000004
【００４３】
ここでは、歩行動作の加齢度を評価するために基準群を若年者群（ＦＹ）としているため、得られた歩行動作加齢度指数（ＧＭＡindex）は若年者群からの逸脱度を総合的に評価する指標になる。
【００４４】
図８は、得られた歩行動作加齢度指数（ＧＭＡindex：縦軸）と年齢（歴年齢：横軸）との関係を示す。
ここでは、歩行動作加齢度指数（ＧＭＡindex）が０に近いほど若年者に近い歩行動作をしていることを示し、大きいほど若年者の歩行動作から逸脱していることを意味している。すなわち、値が１増加するごとに、若年者群の平均から若年者群の標準偏差分だけ逸脱していることを意味する。
【００４５】
図８に示すように、歩行動作加齢度指数（ＧＭＡindex）は年齢とともに増加するが、同じ歴年齢でも個人間に大きな偏差がみられることがわかる。図８の回帰線ｘは各年代における標準的な値を示している。すなわち、回帰線ｘより下に位置する個人は同年代の標準的な動作よりも若年者に近い歩行動作をしており、回帰線ｘより上に位置する個人は同年代の標準的動作と比べ年老いた歩行動作をしていると評価できる。
【００４６】
図８に示す被験者Ａと被験者Ｂは、ともに６０代後半である。
被験者Ａの場合には、歩行動作加齢度指数（ＧＭＡindex）が０に近く、若年者に近い歩行動作であると考えられる。一方、被験者Ｂの場合には、若年者及び７０歳の標準的な動作から大きく逸脱しており、歩行動作の加齢度が高いといえる。
【００４７】
歩行動作加齢度指数（ＧＭＡindex）は、重回帰分析により得られるため、重回帰式の各項は歩行動作加齢度指数（ＧＭＡindex）の内訳とみなすことができる。このため、この内訳を検討することにより、歩行動作の加齢度に影響を与える要因を個別に特定することが可能である。ステップワイズ重回帰分析の結果、重回帰式の各項として以下の５つの変数が残った。なお、各変数の意味については後述する（図１１〜図１４）。
１．接地直前の膝関節最大屈曲トルク：ＴＫ５（高齢者ほど屈曲トルクが大きい）
２．離地付近の足関節最大底屈角度：θＡ３（高齢者ほど底屈が小さい）
３．遊脚期の股関節最大屈曲角度：θＨ２（高齢者ほど屈曲が大きい）
４．支持期後半の足関節最大底屈トルク：ＴＡ２（高齢者ほど底屈トルクが小さい）
５．支持期後半の股関節屈曲トルクによる負のパワーの最大値：ＰＨ２（高齢者ほど負のパワーが大きい）
【００４８】
図９は、この５つの変数ＴＫ５，θＡ３，θＨ２，ＴＡ２，ＰＨ２をＺスコアに変換し、レーダーチャートとして示したものである。各変数のＺスコアは若年者群平均（ＦＹ）がゼロであり、若年者群から逸脱しているほどチャートの内側にプロットがある。ＦＥは高齢者平均である。
高齢者の被験者Ａの特性Ｄａは若年者群と似たプロットであるが、別の高齢者の被験者Ｂの特性Ｄｂでは特に変数ＴＫ５、θＡ３、ＰＨ２の逸脱が大きいことが分かる。高齢者では股関節屈筋群の拘縮や足関節底屈筋群の筋力低下が見られることが知られているが、被験者Ｂにみられた変数θＡ３や変数ＰＨ２の逸脱はこれらの加齢変化が反映されたものと考えられる。
なお、例えば図９の例の足関節最大底屈角度θＡ３が二人の特性Ｄａ，Ｄｂで大きく相違することから分かるように、足関節についての情報が加齢度に関して最も重要な情報が含まれる可能性が高く、加齢度を評価する上では、少なくとも足関節についての情報を利用することが重要である。
【００４９】
この図９に示すレーダーチャートは、例えば表示データ作成部２５が該当する表示を行う表示データを作成し、表示データ作成部２５に接続された表示部（不図示）が、該当するレーダーチャートにより、歩行動作加齢度指数の表示を行う。図９の例では、重回帰分析の結果として最終的に残ったピーク（評価を行う上で重要なピーク）が５個であり、その５個のピークを５角形の図形として示したレーダーチャートである。重回帰分析の結果として最終的に残ったピークの数がこれとは異なる場合には、５角形以外のレーダーチャートで歩行動作加齢度指数を表示することになる。後述する図１５のレーダーチャートは、重回帰分析の結果として別の３つのピークが残った場合の例である。
【００５０】
図１０は、図９の年齢予測の重回帰分析結果を示した表である。すなわち、図９に示す重回帰分析を、キネマティクス変数及びキネティクス変数から評価した場合を、図１０に示す。ここでは、相関係数Ｒ２＝０．２６９（ｐ＜０．００１）である。
このとき、予測年齢[yrs]は、５個のピークの変数の偏回帰係数と定数項を使って、以下の式で求まる。
予測年齢[yrs]＝−66.1409×ＴＫ５[N・m/kg]−0.4963×θＡ３[deg]−0.4962×θＨ２[deg]−19.7917×ＴＡ２[N・m/kg]−9.1245×ＰＨ２[W/kg]＋207.0688
【００５１】
図１１〜図１４は、歩行動作変数取得部２１が取得する各値のピーク値の具体的な例を示す。図１１〜図１４の各グラフの横軸は、右足又は左足の１周期の歩行（２歩）を１００％で正規化した値であり、縦軸は角度、角速度、トルク、又はトルクパワーを示す。各グラフにおいて、丸印で示す箇所が、歩行動作変数取得部２１により取得するピーク値である。
【００５２】
図１１は、関節角度のピーク値の定義を示す。上段は股関節角度、中段は膝関節角度、下段は足関節角度を示す。
図１１の上段の股関節角度は、１歩行周期内に、股関節伸展角度ピークθH1（離地直前）、及び股関節屈曲角度ピークθH2（遊脚期中盤）を、順に取得する。
図１１の中段の膝関節角度は、１歩行周期内に、膝関節屈曲角度ピークθK1（接地直後）、膝関節伸展角度ピークθK2（支持期中盤）、膝関節屈曲角度ピークθK3（離地直後）、及び膝関節伸展角度ピークθK4（接地直前）を、順に取得する。
図１１の下段の足関節角度は、１歩行周期内に、足関節底屈角度ピークθA1（接地直後）、足関節背屈角度ピークθA2（支持期後半）、及び足関節底屈角度ピークθA3（離地付近）を、順に取得する。
【００５３】
図１２は、関節角速度のピーク値の定義を示す。上段は股関節角速度、中段は膝関節角速度、下段は足関節角速度を示す。
図１２の上段の股関節角速度は、１歩行周期内に、股関節伸展角速度極小値ωH1（接地直後）、股関節伸展角速度ピークωH2（支持期前半）、及び股関節屈曲角速度ピークωH3（離地付近）を、順に取得する。
図１２の中段の膝関節角速度は、１歩行周期内に、膝関節屈曲角速度ピークωK1（接地直後）、膝関節伸展角速度ピークωK2（支持期前半）、膝関節屈曲角速度ピークωK3（離地付近）、及び膝関節伸展角速度ピークωK4（遊脚期後半）を、順に取得する。
図１２の下段の足関節角速度は、１歩行周期内に、足関節底屈角速度ピークωA1（接地直後）、足関節背屈角速度ピークωA2（接地直後）、足関節底屈角速度ピークωA3（離地付近）、足関節背屈角速度ピークωA4（離地直後）、及び足関節底屈角速度ピークωA5（遊脚期後半）を、順に取得する。
【００５４】
図１３は、関節トルクのピーク値の定義を示す。上段は股関節トルク、中段は膝関節トルク、下段は足関節トルクを示す。
図１３の上段の股関節トルクは、１歩行周期内に、股関節伸展トルクピークＴH1（接地直後）、股関節屈曲トルクピークＴH2（離地直前）、及び股関節伸展トルクピークＴH3（接地直前）を、順に取得する。
図１３の中段の膝関節トルクは、１歩行周期内に、膝関節屈曲トルクピークＴK1（接地直後）、膝関節伸展トルクピークＴK2（接地直後）、膝関節屈曲トルクピークＴK3（支持期後半）、膝関節伸展トルクピークＴK4（離地直前）、及び膝関節屈曲トルクピークＴK5（接地直前）を、順に取得する。
図１３の下段の足関節トルクは、１歩行周期内に、足関節背屈トルクピークＴA1（接地直後）、及び足関節底屈トルクピークＴA2（離地直前）を、順に取得する。
【００５５】
図１４は、関節トルクパワーのピーク値の定義を示す。上段は股関節トルク、中段は膝関節トルク、下段は足関節トルクを示す。
図１４の上段の股関節トルクは、１歩行周期内に、股関節伸展トルクによる正パワーピークＰH1（接地直後）、股関節屈曲トルクによる負パワーピークＰH2（支持期後半）、股関節屈曲トルクによる正パワーピークＰH3（離地付近）、及び股関節伸展トルクによる正パワーピークＰH4（接地直前）を、順に取得する。
図１４の中段の膝関節トルクは、１歩行周期内に、膝関節屈曲トルクによる正パワーピークＰK1（接地直後）、膝関節伸展トルクによる負パワーピークＰK2（接地直後）、膝関節伸展トルクによる正パワーピークＰK3（支持期前半）、膝関節伸展トルクによる負パワーピークＰK4（離地直前）、及び膝関節屈曲トルクによる負パワーピークＰK5（接地直前）を、順に取得する。
図１４の下段の足関節トルクは、１歩行周期内に、足関節背屈トルクによる負パワーピークＰA1（接地直後）、足関節底屈トルクによる負パワーピークＰA2（支持期前半）、及び足関節底屈トルクによる正パワーピークＰA3（離地直前）を、順に取得する。
【００５６】
これらのピーク値の中で、図９の例では、最終的に５つのピークＴＫ５，θＡ３，θＨ２，ＴＡ２，ＰＨ２が回帰分析の結果として残り、この５つのピークＴＫ５，θＡ３，θＨ２，ＴＡ２，ＰＨ２から、歩行動作加齢度指数（ＧＭＡindex）を得るようにしたものである。ここで示す５つのピークが歩行動作加齢度指数を得るための値として最終的に残るのは一例であり、回帰分析状態によってその他のピークが歩行動作加齢度指数を得るための値として残ることもある。
【００５７】
以上説明したように、歩行動作の加齢度を評価することで、高齢者はもとより、将来高齢者になる中年者、若年者に対して、歩行動作の維持・改善を啓蒙することが可能になる。また、具体的な動作の改善点が示されることで、動作改善のための適切なトレーニングを考案し、実施することが可能になる。
【００５８】
［６．変形例］
なお、上述した実施の形態例では、歩行動作変数取得部２１が、股関節と膝関節と足関節のそれぞれについて、角度、角速度、トルク、及びトルクパワーを取得して、それらを使った回帰分析で得られたピークから、歩行動作加齢度指数を取得するようにした。これらのトルク及び角度を使うのは一例であり、これらのトルク及び角度の内の一部の情報だけを使って、歩行動作加齢度指数を取得するようにしてもよい。
【００５９】
例えば、歩行動作変数取得部２１が、股関節の角度及び角速度、膝関節の角度及び角速度と足関節の角度及び角速度を取得し、これらの角度及び角速度の情報について、歩行速度・身長調整部２２が調整した後、回帰分析部２３が回帰分析を行って、歩行動作加齢度指数取得部２４が歩行動作加齢度指数を取得するようにしてもよい。
【００６０】
図１５は、各関節の角度及び角速度を取得して、それらを使った回帰分析で得られた３つのピークから、歩行動作加齢度指数を取得する例を示す。
この例では、各関節の角度及び角速度を使ったステップワイズ重回帰分析の結果、重回帰式の各項として以下の３つの変数が残った。
１．遊脚期中盤の股関節最大屈曲角度：θＨ２
２．離地付近の足関節最大底屈角度：θＡ３
３．接地直後の足関節最大底屈曲角速度：ωＡ１
【００６１】
図１５は、この３つの変数θＨ２，θＡ３，ωＡ１をＺスコアに変換し、レーダーチャートとして示したものである。この図１５の場合にも、図９と同様に、各変数のＺスコアは若年者群平均（ＦＹ）がゼロであり、若年者群から逸脱しているほどチャートの内側にプロットがある。ＦＥは高齢者平均である。
図１５では、被験者ＢのスコアＤｃ及び被験者ＡのスコアＤｄを示す。
【００６２】
図１６は、図１５の年齢予測の重回帰分析結果を示した表である。すなわち、図１５に示す重回帰分析を、キネマティクス変数から評価した場合を、図１６に示す。ここでは、相関係数Ｒ２＝０．１５４（ｐ＜０．００１）である。
このとき、予測年齢[yrs]は、３個のピークの変数の偏回帰係数と定数項を使って、以下の式で求まる。
予測年齢[yrs]＝−0.6134×θＨ２[deg]−0.5116×θ_A3[deg]−3.3450×ω_A1[rad/s]＋233.9590
【００６３】
このように、下肢の各関節の角度と、その角度を時間で微分した角速度を使って、歩行動作加齢度指数を取得することもできる。この図１５の例の場合には、キネマティクス変数である関節の角度及び角速度から予測年齢を求めるようにしたため、図９の例のようにキネマティクス変数及びキネティクス変数から評価した場合に比べて、予測年齢の精度が若干悪くなる可能性がある。但し、キネマティクス変数である関節の角度及び角速度は、被評価対象者の歩行状態をビデオカメラ等で撮影した映像のみから取得できるため、歩行動作変数の取得は、図９の例よりも容易にできる。また、図１５の例の場合には、各関節の中で、加齢度を推定する上で重要な関節である足関節の角度を使った２つの変数から評価しているため、適切な評価ができる効果を持つ。
なお、歩行動作加齢度のプロフィールを、図９や図１５に示す多角形のレーダーチャートとして示すのは一例であり、その他の表示形態の図やグラフで歩行動作加齢度のプロフィールを表示するようにしてもよい。
【００６４】
また、上述した実施の形態例では、回帰分析部２３が、ステップワイズ重回帰分析（線形回帰）を行うようにしたが、回帰分析部２３がその他の回帰分析を行うようにしてもよい。
歩行動作加齢度指数を得る際に、Ｚスコアを使用する点についても一例であり、その他の分析手法で歩行動作加齢度に関する指数を得るようにしてもよい。
【符号の説明】
【００６５】
１０…歩行動作評価装置、１１…股関節情報取得部、１２…膝関節情報取得部、１３…足関節情報取得部、１４…歩行速度検出部、１５…身長検出部、２１…歩行動作変数取得部、２２…歩行速度・身長調整部、２３…回帰分析部、２４…歩行動作加齢度指数取得部、２５…表示データ作成部、２６…記憶部
【図１】
2019084130.tif 000005
【図２】
2019084130.tif 000006
【図３】
2019084130.tif 000007
【図４】
2019084130.tif 000008
【図５】
2019084130.tif 000009
【図６】
2019084130.tif 000010
【図７】
2019084130.tif 000011
【図８】
2019084130.tif 000012
【図９】
2019084130.tif 000013
【図１０】
2019084130.tif 000014
【図１１】
2019084130.tif 000015
【図１２】
2019084130.tif 000016
【図１３】
2019084130.tif 000017
【図１４】
2019084130.tif 000018
【図１５】
2019084130.tif 000019
【図１６】
2019084130.tif 000020